(57)【要約】【課題】コンセントケースの成形性が良くて生産性が向上し、火花放電を検出するための孔の孔径を小さくすることができる電源コンセントを提供する。【解決手段】電源コンセント１はコンセントケース２の前面のプラグ挿入口３，３間に形成された透孔５にブッシング６を挿入して装着し、ブッシング６と透孔５との接触面の少なくとも一部にコンセントケース２の外面とコンセントケース２の内面とを連通させる隙間７を設ける。プラグの栓刃間に発生する火花放電は隙間７からコンセントケース２内に進入して透孔５の内側に設けたセンサ８に接触することより検出される。【選択図】図２
2006048963.tif 000002
【特許請求の範囲】
【請求項１】
絶縁材料により形成したコンセントケースの前面に１対のプラグ挿入口を１個又は複数個形成し、該プラグ挿入口の内側にプラグの栓刃を挟持する受刃を配設し、前記プラグ挿入口間に透孔を形成し、該透孔の内側に前記栓刃間に発生する火花放電を検知するセンサを配設して成る電源コンセントにおいて、前記透孔にブッシングを挿入して装着し、該ブッシングと前記透孔との接触面の少なくとも一部に前記コンセントケースの外面と前記コンセントケースの内面とを連通させる隙間を有することを特徴とする電源コンセント。
【発明の詳細な説明】
【技術分野】
【０００１】
本発明は、トラッキングに至る前に発生する火花放電を検知してトラッキングの発生を防止する電源コンセントに関する。
【背景技術】
【０００２】
従来、トラッキングを防止する機能を有する電源コンセントとして特許文献１に示すものがある。特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
従来の電源コンセントはトラッキングに至る前に発生する火花放電を検出するセンサである導電板が電源コンセント表面に露出しているため、導電性のものが接触した際に誤動作する虞があったし、プラグ利用者の手等が接触することも考えられ、好ましいものではなかった。そこで本出願人は特願２００３−１２０５４６により、センサを電源コンセントのカバー表面に露出させずにカバー表面のプラグ挿入口間に形成した小さな透孔の内側にセンサを配置し、透孔から進入した微小な火花放電をセンサにより検出する電源コンセントを提案している。カバーに形成される透孔は水や埃が入らないようしたり、センサからの出力電流を小さくしてアンプ回路の負荷を軽減するために小さければ小さいほど良いが、従来の電源コンセントは透孔を電源コンセントのカバーに直接形成しているため、直径０．５ｍｍ程度が限界であり、また、成形性が悪く生産性が良くないという欠点があった。
【課題を解決するための手段】
【０００５】
本発明は、絶縁材料により形成したコンセントケースの前面に１対のプラグ挿入口を１個又は複数個形成し、プラグ挿入口の内側にプラグの栓刃を挟持する受刃を配設し、プラグ挿入口間に透孔を形成し、透孔の内側に栓刃間に発生する火花放電を検知するセンサを配設して成る電源コンセントにおいて、透孔にブッシングを挿入して装着し、ブッシングと透孔との接触面の少なくとも一部にコンセントケースの外面とコンセントケースの内面とを連通させる隙間を有することを特徴とする。
【発明の効果】
【０００６】
本発明の電源コンセントは、透孔を限界まで小さく形成する必要がないのでコンセントケースの成形性が良く、生産性が向上するとともに、火花放電を検知するための孔の孔径を小さくすることができるという効果がある。
【発明を実施するための最良の形態】
【０００７】
電源コンセントはコンセントケースの前面のプラグ挿入口間に形成された透孔にブッシングを挿入して装着し、ブッシングと透孔との接触面の少なくとも一部にコンセントケースの外面とコンセントケースの内面とを連通させる隙間を設ける。プラグの栓刃間に発生する火花放電は隙間からコンセントケース内に進入して透孔の内側に設けたセンサに接触することより検出される。
【実施例１】
【０００８】
本発明に係る電源コンセントの実施例１を図１〜図３の添付図面に基づいて説明する。
【０００９】
電源コンセント１は、絶縁材料によりコンセントケース２が形成され、コンセントケース２の前面にプラグの栓刃（図示せず）を挿入するための１対のプラグ挿入口３，３が中央と下部の２箇所に形成され、プラグ挿入口３の内側にはプラグの栓刃を挟持する受刃４が配設され、また、夫々のプラグ挿入口３，３間の中間位置に透孔５が形成されている。
【００１０】
透孔５には、ブッシング６が取り付けられる。ブッシング６は絶縁材料により透孔５の形状より外形が僅かに小さく形成され、端部に係止突起６ａが形成され、ブッシング６を透孔５に挿入すると係止突起６ａが透孔５の端縁に係止することにより装着されている。これにより、透孔５とブッシング６との接触面にコンセントケース２の外面とコンセントケース２の内面とを連通させる隙間７ができ、後述するセンサ８が火花放電を検出する際の孔として利用される。
【００１１】
コンセントケース２の内部には透孔５の内側にセンサ８が配設されている。センサ８は金属片等の導電部材により形成され、コンセントケース２の内部に配設されたプリント基板９のトラッキング検出回路に接続されている。
【００１２】
電源コンセント１のトラッキング検出動作を説明すると、受刃４，４に接続されたプラグの栓刃間に埃等が溜まり空気中の湿気を吸収することにより水分を介して栓刃間に微小な電流が流れ、その電荷を帯びた水分が気化して火花放電が発生する。そして、火花放電が透孔５とブッシング６との隙間７から進入してセンサ８に接触すると微小な電流が流れる。このセンサ８の出力電流からトラッキング検出回路はトラッキングを検出し、コンセントケース２に内蔵したブレーカ１０を作動させて電路を遮断すると共に表示ランプ１１によって表示を行うようになっている。
【００１３】
このように、電源コンセント１は透孔５にブッシング６を取り付けることによって透孔５の孔径はそれほど小さくしなくても良いのでコンセントケース２の成形性が良く、生産性が向上する。また、透孔５とブッシング６の隙間７をセンサ８の検出用の孔として利用するので従来に比べてこの孔を小さくすることができる。
【実施例２】
【００１４】
本発明に係る電源コンセントの実施例２を図４〜図６の添付図面に基づいて説明する。尚、実施例１と同一部分は同一符号を付して説明を省略する。
【００１５】
本実施例では、ブッシング６は透孔５と略同一形状に形成され、ブッシング６の透孔５と接触する面に挿入方向に延びる複数の溝６ｂが形成されている。この溝６ｂはブッシング６と透孔５との接触面の隙間７となり、火花放電は溝６ｂから進入するのでセンサ８により検出することができる。尚、透孔５のブッシング６と接触する面に溝を形成しても良く、溝の本数は１本でも良いが、複数本にすればセンサ８の検出範囲を広くすることができる。
【００１６】
尚、実施例では透孔を円形に形成したが、例えば、矩形状に形成したり、長孔形状に形成してもよく、透孔及びブッシングの両者間に隙間ができれば形状について限定はない。また、ブッシングの取り付け構造についても接着して取り付けても良いし、圧入して取り付けても良く、限定はない。また、電源コンセントはプラグが２個接続できる２口電源コンセントであるが、１口電源コンセントでも良いし、複数個のプラグが接続できるタップ等でも良い。また、ブレーカを内蔵して電路を遮断するようになっているがトラッキング検出時の動作について限定はない。
【図面の簡単な説明】
【００１７】
【図１】本発明の実施例１に係る電源コンセントの正面図である。
【図２】図１のＡ−Ａ線断面図である。
【図３】本発明の実施例１に係るブッシングを示す斜視図である。
【図４】本発明の実施例２に係る電源コンセントの正面図である。
【図５】図１のＤ−Ｄ線断面図である。
【図６】本発明の実施例２に係るブッシングを示す斜視図である。
【符号の説明】
【００１８】
１    電源コンセント
２    コンセントケース
３    プラグ挿入口
４    受刃
５    透孔
６    ブッシング
７    隙間
８    センサ
【図１】
2006048963.tif 000003
【図２】
2006048963.tif 000004
【図３】
2006048963.tif 000005
【図４】
2006048963.tif 000006
【図５】
2006048963.tif 000007
【図６】
2006048963.tif 000008